(57)【要約】【課題】背負い具によって携帯品の利便性を高めることができる。【解決手段】基座１と固定座２と支持枠ユニット３と二個の背負いバンド４とを備えた背負い具であって、基座１が本体１１と係止ユニット１２を有し、本体１１が複数個の第一枢接部１１１を有し、係止ユニット１２が本体１１に設けられ、固定座２が環状溝２１と位置決め部２２を有し、固定座２が係止ユニット１２によって環状溝２１を係止し、位置決め部２２が外へ向かって本体１１から突出するように形成され、支持枠ユニット３が少なくとも三個のメイン支持枠３１を有し、複数個のメイン支持枠３１がそれぞれ第二枢接部３１１と連接部３１２を有し、複数個のメイン支持枠３１の第二枢接部３１１が基座１の複数個の第一枢接部１１１と枢接し、二個の背負いバンド４の両端が複数個のメイン支持枠３１の二個の連接部３１２とそれぞれ結合する。【選択図】図１
2017000449.tif 000002
【特許請求の範囲】
【請求項１】
一個の基座（１）と一個の固定座（２）と一個の支持枠ユニット（３）と二個の背負いバンド（４）とを備えた背負い具であって、
前記基座（１）が、一個の本体（１１）と一個の係止ユニット（１２）を有し、
前記本体（１１）が、複数個の第一枢接部（１１１）を有し、
前記係止ユニット（１２）が、前記本体（１１）に設けられ、
前記固定座（２）が、一個の環状溝（２１）と一個の位置決め部（２２）を有し、
前記固定座（２）が、前記係止ユニット（１２）によって前記環状溝（２１）を係止し、
前記位置決め部（２２）が、外へ向かって前記本体（１１）から突出するように形成され、
前記支持枠ユニット（３）が、少なくとも三個のメイン支持枠（３１）を有し、
前記複数個のメイン支持枠（３１）が、それぞれ一個の第二枢接部（３１１）と一個の連接部（３１２）を有し、
前記複数個のメイン支持枠（３１）の第二枢接部（３１１）が、前記基座（１）の複数個の第一枢接部（１１１）と枢接し、
前記二個の背負いバンド（４）の両端が、前記複数個のメイン支持枠（３１）の二個の連接部（３１２）とそれぞれ結合していることを特徴とする背負い具。
【請求項２】
前記固定座（２）の位置決め部（２２）が、一個の支持壁（２２１）を有し、前記支持壁（２２１）が囲むように一個の位置決め空間（２２２）が形成されていることを特徴とする請求項１に記載の背負い具。
【請求項３】
前記固定座（２）が、一個の固定補助部材（２３）を有し、前記固定補助部材（２３）が、前記支持壁（２２１）と結合していることを特徴とする請求項２記載の背負い具。
【請求項４】
前記固定補助部材（２３）が、一個の当接端（２３１）を有し、前記固定補助部材（２３）が、貫穿自在に前記支持壁（２２１）と結合することにより、前記当接端（２３１）が、前記位置決め空間（２２２）内に活動自在に位置していることを特徴とする請求項３に記載の背負い具。
【請求項５】
前記支持壁（２２１）が、一個の第一貫穿部（２２３）を有し、前記第一貫穿部（２２３）が、前記位置決め空間（２２２）と連通していることを特徴とする請求項２に記載の背負い具。
【請求項６】
前記支持壁（２２１）が、一個の第二貫穿部（２２４）を有し、前記第二貫穿部（２２４）が、前記位置決め空間（２２２）と連通していることを特徴とする請求項５に記載の背負い具。
【請求項７】
前記第一貫穿部（２２３）が、一個の第一位置決め隙間（Ｇ１）を有し、前記第二貫穿部（２２４）が、一個の第二位置決め隙間（Ｇ２）を有し、前記第一位置決め隙間（Ｇ１）が、前記第二位置決め隙間（Ｇ２）より大きいことを特徴とする請求項６に記載の背負い具。
【請求項８】
前記本体（１１）が、一個の収容室（１１２）を有し、前記収容室（１１２）が、前記固定座（２）を収容するのに用いられ、前記係止ユニット（１２）が、前記本体（１１）に貫穿自在に設置され、さらに前記収容室（１１２）内において前記環状溝（２１）を係止することを特徴とする請求項１に記載の背負い具。
【請求項９】
前記本体（１１）の外に位置する係止ユニット（１２）の一端が、一個の係止孔（１２１）を有していることを特徴とする請求項１または請求項８に記載の背負い具。
【請求項１０】
前記支持枠ユニット（３）が、さらに一個の補助支持枠（３２）を有し、前記補助支持枠（３２）が、二個の第一枢接補助部（３２１）を有し、前記複数個のメイン支持枠（３１）が、それぞれ一個の第二枢接補助部（３１４）を有し、前記補助支持枠（３２）の二個の第一枢接補助部（３２１）が、前記複数個のメイン支持枠（３１）の隣接する二個の第二枢接補助部（３１４）とそれぞれ枢接することを特徴とする請求項１に記載の背負い具。
【請求項１１】
前記補助支持枠（３２）が、一個の折り曲げ部（３２２）を有し、前記折り曲げ部（３２２）が、前記二個の第一枢接補助部（３２１）の間に位置していることを特徴とする請求項１０に記載の背負い具。
【請求項１２】
前記補助支持枠（３２）が、一個の係止補助バンド（３２４）を設けていることを特徴とする請求項１０または請求項１１に記載の背負い具。
【請求項１３】
前記複数個のメイン支持枠（３１）が、それぞれ一個の係止補助部（３１３）を設けていることを特徴とする請求項１に記載の背負い具。
【請求項１４】
前記係止補助部（３１３）が、複数個の貫穿孔からなることを特徴とする請求項１３に記載の背負い具。
【請求項１５】
前記支持枠ユニット（３）の複数個のメイン支持枠（３１）の数が、四個であることを特徴とする請求項１に記載の背負い具。
【発明の詳細な説明】
【技術分野】
【０００１】
本発明は、背負い具に関するもので、特に、携帯品を固定することができ、使用者に携帯品を背負うのに便利になる背負い具に係わるものである。
【背景技術】
【０００２】
使用者が野外活動を行う時、野外における各種の要求に応じるべく、常に、数種類の物品を携帯しなければならず、例えば、水筒、雨傘または多種多様の荷物などで、使用者が上述した携帯品を携帯して歩行で移動しようとする場合、使用者の心の中で考えていることは、如何に後続の行程を計画するのかではなく、恐らく、上述した物品を如何に携帯して移動するかではないかと思う。
【０００３】
一般に、使用者が身の周りに物品を携帯して移動しようとする時、直接、物品を手に持って移動する他に、よく見られるのは、積載装置をもって前記物品を運送するもので、例えば、複種類の物品を一台の物置のワゴンまたは一個のトランクに積載することにより、使用者は、積載装置の補助によって物品を運送することができる。
【０００４】
しかしながら、使用者がいかに直接手で物品を持とうとしても、または、積載裝置によって物品を運送しようとしても、使用者は、全て少なくとも片方の手で物品を持ったり、或いは、積載装置の行進を制御したりしなければならず、これによって使用者の手が疲れるようになるだけではなく、使用者の両手が完全に開くという状態になれない中で、仮に両手を同時に運用しなければならない場合、使用者には開いている手がなくて対応することができなくなると、使用者には大変になるという問題点があった。
【０００５】
また、従来の積載裝置は、通常、物品を積載するという作用しかなく、使用者がある物品を体の片側に固定しようとする時（例えば、傘を差す）、従来の積載装置では、使用者の要求に応えることができないため、使用上の敏捷性が悪いという問題点があった。
さらに、従来の積載装置は、通常、体積が大きく、場所を取り、そして、折り畳むことができないなどの問題点を有し、積載装置が使用していない状態では、仮に、使用者は体積が膨大な積載装置を携帯して移動しようとする時、必ず使用者の負担になってしまうため、積載装置の携帯は、不便になるという問題点があった。
そして、積載装置に類似した装置は、既に、中華民国公告第Ｍ４８４３２６号の「傘の固定に用いられる背負い設備」に掲示されていた。
【先行技術文献】
【特許文献】
【０００６】
【特許文献１】中華民国公告第Ｍ４８４３２６号
【発明の概要】
【発明が解決しようとする課題】
【０００７】
本発明は、このような問題点に鑑みて発明されたものであって、その目的とするところは、使用者が物品を携帯する過程において生じた携帯上の利便性が悪く、使用上の敏捷性が悪く、さらに積載装置の携帯が不便であるなどの問題を解決する背負い具を提供することにある。
【０００８】
本発明の第一目的は、使用者が背負いの方式で物品を携帯することにより、携帯上の利便性を高める背負い具を提供することにある。
【０００９】
本発明の第二目的は、特定の角度または方向で携帯しようとする物品を固定することにより、使用上の敏捷性を高める背負い具を提供することにある。
【００１０】
本発明の第三目的は、使用しない時には折り畳むことにより、積載装置の携帯の利便性を高める背負い具を提供することにある。
【課題を解決するための手段】
【００１１】
前述した目的を達成するために、本発明による背負い具は、一個の基座と一個の固定座と一個の支持枠ユニットと二個の背負いバンドとを備え、基座が一個の本体と一個の係止ユニットを有し、本体が複数個の第一枢接部を有し、係止ユニットが本体に設けられ、固定座が一個の環状溝と一個の位置決め部を有し、固定座が係止ユニットによって環状溝を係止し、かつ、位置決め部が外へ向かって本体から突出するように形成され、支持枠ユニットが少なくとも三個のメイン支持枠を有し、かつ、複数個のメイン支持枠がそれぞれ一個の第二枢接部と一個の連接部とを有し、複数個のメイン支持枠の第二枢接部が基座の複数個の第一枢接部と枢接し、二個の背負いバンドの両端が複数個のメイン支持枠の二個の連接部とそれぞれ結合する。
【００１２】
また、本発明による背負い具は、固定座の位置決め部が一個の支持壁を有し、この支持壁が囲むように一個の位置決め空間が形成されることもできる。
【００１３】
また、本発明による背負い具は、固定座が一個の固定補助部材を有し、この固定補助部材が支持壁と結合することもできる。
【００１４】
また、本発明による背負い具は、固定補助部材が一個の当接端を有し、前記固定補助部材が支持壁と貫穿自在に結合することにより、前記当接端が位置決め空間内に活動自在に位置することもできる。
【００１５】
また、本発明による背負い具は、支持壁が一個の第一貫穿部を有し、この第一貫穿部が位置決め空間と連通することもできる。
【００１６】
また、本発明による背負い具は、支持壁が一個の第二貫穿部を有し、この第二貫穿部が位置決め空間と連通することもできる。
【００１７】
また、本発明による背負い具は、第一貫穿部が一個の第一位置決め隙間を有し、第二貫穿部が一個の第二位置決め隙間を有し、第一位置決め隙間が第二位置決め隙間より大きいこともできる。
【００１８】
また、本発明による背負い具は、本体が一個の収容室を有し、収容室が固定座を収容するのに用いられ、係止ユニットが本体に貫穿自在に設置され、さらに、収容室内に環状溝を係止することもできる。
【００１９】
また、本発明による背負い具は、係止ユニットが本体の外に位置する一端は一個の係止孔を有することもできる。
【００２０】
また、本発明による背負い具は、支持枠ユニットがさらに一個の補助支持枠を有し、この補助支持枠が二個の第一枢接補助部を有し、複数個のメイン支持枠がそれぞれ一個の第二枢接補助部を有し、補助支持枠の二個の第一枢接補助部が複数個のメイン支持枠の隣接する二個の第二枢接補助部とそれぞれ枢接することもできる。
【００２１】
また、本発明による背負い具は、補助支持枠に一個の折り曲げ部を有し、この折り曲げ部が二個の第一枢接補助部の間に位置することもできる。
【００２２】
また、本発明による背負い具は、補助支持枠に一個の係止補助バンドを設けることもできる。
【００２３】
また、本発明による背負い具は、複数個のメイン支持枠にそれぞれ一個の係止補助部を設けることもできる。
【００２４】
また、本発明による背負い具は、係止補助部が複数個の貫穿孔からなることもできる。
【００２５】
また、本発明による背負い具は、支持枠ユニットのメイン支持枠の数が四個であることもできる。
【発明の効果】
【００２６】
本発明の背負い具によれば、使用者が背負いの方式で物品を携帯することにより、携帯上の利便性を高めることができるという利点がある。
【００２７】
本発明の背負い具によれば、特定の角度または方向で携帯しようとする物品を固定することにより、使用上の敏捷性を高めることができるという利点がある。
【００２８】
本発明の背負い具によれば、使用しない時には折り畳むことにより、積載装置の携帯の利便性を高めることができるという利点がある。
【図面の簡単な説明】
【００２９】
【図１】図１は、本発明の背負い具の分解斜視図である。
【図２】図２は、本発明の背負い具の局部の断面図である。
【図３】図３は、本発明の背負い具の局部の断面図である。
【図４】図４は、本発明の背負い具の展開した状態の説明図である。
【図５】図５は、本発明の背負い具の使用状態の参考図である。
【図６】図６は、本発明の背負い具の使用状態の参考図である。
【図７】図７は、本発明の背負い具の折畳み状態の断面図である。
【図８】図８は、本発明の背負い具の折畳み状態の斜視図である。
【図９】図９は、本発明の背負い具の使用状態の参考図である。
【図１０】図１０は、本発明の背負い具の使用状態の参考図である。
【図１１】図１１は、本発明の背負い具の使用状態の参考図である。
【発明を実施するための形態】
【００３０】
本発明の実施の形態について、以下、図面を参照して説明する。
【００３１】
図１は、本発明の背負い具の分解斜視図である。
図１を参照すると、本発明の背負い具は、一個の基座１と一個の固定座２と一個の支持枠ユニット３と二個の背負いバンド４とを備えている。
そして、固定座２は、基座１と結合し、支持枠ユニット３は、基座１と枢接し、二個の背負いバンド４は、支持枠ユニット３と結合する。
【００３２】
さらに、基座１は、一個の本体１１と一個の係止ユニット１２を有し、この係止ユニット１２は、本体１１に設置され、かつ、この本体１１は、複数個の第一枢接部１１１を有している。
【００３３】
また、基座１の本体１１の形状と構造は、いかなる態様からなることができ、ここでは、制限を設けていない。
本発明の実施例においては、本体１１が、一個の八角形の管状の構造からなり、かつ、複数個の第一枢接部１１１が、本体１１の側壁に環設されている。
本体１１は、管状構造で一個の収容室１１２を有し、この収容室１１２は、固定座２を収容するのに用いられる。
【００３４】
係止ユニット１２は、本体１１と一体になるように結合し、かつ、本体１１に位置して収容室１１２の片側を形成することにより、収容室１１２内において固定座２を係止することができる。
または、本実施例のように、係止ユニット１２は、複数個のねじくぎからなり、かつ、係止ユニット１２は、本体１１に貫穿自在に設置され、さらに、収容室１１２内に固定座２を係止する。
この係止ユニット１２が本体１１の外に位置する一端は、一個の係止孔１２１を有している。
【００３５】
これにより、基座１は、係止ユニット１２の設置によって固定座２を収容室１１２内に係止することができ、かつ、係止ユニット１２の係止孔１２１も使用者の要望によって一個の物品を引っ掛けるのに用いることができ、或いは、一個のフックＨまたは、一個の固定バンドＲを引っ掛けるのに用いることにより、使用者がフックＨまたは固定バンドＲによって物品を固定するのに便利になるため、携帯物の利便性を高めるという効果を有している。
【００３６】
図２は、本発明の背負い具の局部の断面図で、図３は、本発明の背負い具の局部の断面図である。
図１、図２、図３を同時に参照すると、本発明の実施例において、固定座２は、一個の管状の構造からなり、固定座２は、一個の環状溝２１と一個の位置決め部２２を有している。
環状溝２１と位置決め部２２は、固定座２が相対する両端にそれぞれ位置し、固定座２は、上述した係止ユニット１２によって環状溝２１を係止することができ、これにより、係止ユニット１２によって固定座２が軸方向で移動できないのを制限することができる。
そして、環状溝２１の設置によって、固定座２は、基座１の本体１１に相対して回動することができ、さらに、固定座２の位置決め部２２の設置方向を調整することにより、位置決め部２２は、異なる角度または方向で定位置に物品を位置決めすることができるため、使用上の敏捷性を高めるという効果を有している。
【００３７】
図１、図２、図３を参照すると、固定座２の環状溝２１が本体１１の収容室１１２内に収容される時、位置決め部２２は、本体１１の収容室１１２から外へ向かって突出するように形成される。
そして、固定座２の位置決め部２２は、一個の支持壁２２１を有し、支持壁２２１は、囲むように一個の位置決め空間２２２が形成されている。
これにより、位置決め部２２は、位置決め空間２２２によって物品を位置決めすることができるため、携帯物の利便性を高めるという効果を有している。
【００３８】
図４は、本発明の背負い具の展開した状態の説明図である。
図１、図４を同時に参照すると、支持壁２２１は、一個の第一貫穿部２２３と一個の第二貫穿部２２４を有し、これらの第一貫穿部２２３と第二貫穿部２２４とは、位置決め空間２２２を連通し、その内に、第一貫穿部２２３は、一個の第一位置決め隙間Ｇ１を有し、第二貫穿部２２４は、一個の第二位置決め隙間Ｇ２を有し、第一位置決め隙間Ｇ１は、第二位置決め隙間Ｇ２より大きい。
これにより、固定座２は、位置決め空間２２２によって物品を固定することができるだけではなく、第一貫穿部２２３と第二貫穿部２２４とによって物品を位置決めすることができるため、携帯物の利便性と使用上の敏捷性を高めるという効果を有している。
【００３９】
図１、図４を参照すると、固定座２は、さらに一個の固定補助部材２３を有し、この固定補助部材２３は、一個のボルトからなり、かつ、この固定補助部材２３は、一個の当接端２３１を有し、固定補助部材２３は、支持壁２２１と貫穿自在に結合することにより、当接端２３１は、位置決め空間２２２内に活動自在に位置される。
これにより、固定補助部材２３は、当接端２３１によって位置決め空間２２２内に位置する物品に当接することができ、物品は、固定座２にさらに安定して位置決めされるため、物品の位置決めの安定性を高めるという効果を有している。
【００４０】
図１を参照すると、支持枠ユニット３は、複数個のメイン支持枠３１を有し、かつ、複数個のメイン支持枠３１は、それぞれ一個の第二枢接部３１１と一個の連接部３１２を有し、複数個のメイン支持枠３１は、第二枢接部３１１をもって基座１の複数個の第一枢接部１１１と枢接し、複数個のメイン支持枠３１の数は、少なくとも三個または、三個以上からなることができるが、ここでは、その限制を設けず、例えば、複数個のメイン支持枠３１の数は、三個からなる場合、三個のメイン支持枠３１は、Ｙ字形の形態で基座１と枢接することができ、または、本発明の実施例のように、複数個のメイン支持枠３１の数は、四個からなり、これら四個のメイン支持枠３１は、Ｘ字形の形態で基座１と枢接する。
【００４１】
また、複数個のメイン支持枠３１にそれぞれ一個の係止補助部３１３が設けられ、この係止補助部３１３は、いかなる形態からなることができるが、ここでは、制限を設けない。
本発明の実施例において、係止補助部３１３は、複数個の貫穿孔からなり、かつ、係止補助部３１３は、フックＨまたは固定バンドＲを設置するのに用いられる。
係止補助部３１３の設置によって本発明の背負い具により更なる多くの物品を固定することができ、または、物品を複数個のメイン支持枠３１の片側にさらに安定して位置決めすることができるため、携帯物の利便性と物品の位置決めの安定性を高めるという効果を有する。
【００４２】
図１を参照すると、支持枠ユニット３は、さらに、一個の補助支持枠３２を有し、この補助支持枠３２は、二個の枢接補助部３２１を有し、複数個のメイン支持枠３１は、それぞれ一個の第二枢接補助部３１４を有し、補助支持枠３２の二個の第一枢接補助部３２１は、複数個のメイン支持枠３１の隣接する二個の第二枢接補助部３１４とそれぞれ枢接する。
【００４３】
さらに詳しく言えば、補助支持枠３２は、一個の折り曲げ部３２２を有し、折り曲げ部３２２は、二個の第一枢接補助部３２１の間に位置し、補助支持枠３２は、折り曲げ部３２２によって折り曲げる形態に形成され、かつ、折り曲げ部３２２は、本発明の実施例に示すように一個の枢接の構造からなることができる。
その内に、補助支持枠３２の数は、一個または一個以上からなることができるが、ここでは、その制限を設けない。
本発明の実施例において、補助支持枠３２の数は、二個からなり、かつ、基座１の相対する両端にそれぞれ設置される。
これにより、補助支持枠３２とその枢接構造の設置によって補助支持枠３２と複数個のメイン支持枠３１は、一緒に展開したり折り畳んだりすることができるだけではなく、かつ、複数個のメイン支持枠３１は、展開の形態においてさらに安定になるため、構造の安定性を高めるという効果を有している。
【００４４】
図１、図４を参照すると、補助支持枠３２にさらに一個の係止補助バンド３２３が設けられ、これらの係止補助バンド３２３は、粘着または固着の効果を有する紐やバンドからなるが、ここでは、その制限を設けない。
係止補助バンド３２３の設置によって物品を固定座２と支持枠ユニット３との上にさらに安定して位置決めすることができるため、物品の位置決めの安定性を高めるという効果を有している。
【００４５】
図１を参照すると、二個の背負いバンド４の両端は、複数個のメイン支持枠３１の二個の連接部３１２とそれぞれ結合する。
そして、二個の背負いバンド４は、一個の紐状からなるため、使用者が背負うのに役立つことができる。
【００４６】
図５は、本発明の背負い具の使用状態の参考図で、図６は、本発明の背負い具の使用状態の参考図である。
図４、図５、図６を参照すると、使用者が本発明の背負い具を使用して一本の傘具を背負おうとする場合、使用者は、複数個のメイン支持枠３１を展開の型態に形成させ、さらに、傘具の一本の傘の柄を位置決め部２２の位置決め空間２２２に直接挿入し、または、本発明の実施例にように、傘具の傘の柄の幅径が第一貫穿部２２３の第一位置決め隙間Ｇ１の幅より小さい場合、傘の柄は、第一貫穿部２２３を貫穿して位置決め空間２２２内に挿入することができ、かつ、第二貫穿部２２４の第二位置決め隙間Ｇ２の幅が傘の柄の幅径より小さい場合、または、第二貫穿部２２４を設置していない場合、傘の柄は、第一貫穿部２２３の位置決めの効果によって位置決め空間２２２内に位置決めされる。
【００４７】
また、傘具は、比較的長い一本の傘骨を有する場合、仮に、傘骨の幅径が第一位置決め隙間Ｇ１より小さい場合、かつ、傘骨の幅径は、第二位置決め隙間Ｇ２の幅より少し大きい場合、傘骨は、同時に、第一貫穿部２２３と第二貫穿部２２４を貫穿し、かつ、第二貫穿部２２４は、締まりばめの方式で傘骨を固定することができるため、傘具は、固定座２に固定される。
それから、使用者は、背負いバンド４によって携帯しようとする傘具を背負うことができるため、使用者は、手で傘具を持つことなく、傘を差すという目的に達するため、携帯物の利便性を高めるという効果を有している。
【００４８】
また、固定座２は、本体１１に回動自在に係止されるため、この固定座２は、本体１１に相対して時計回りまたは時計逆回りの方向に向かって回動する時、第一貫穿部２２３と第二貫穿部２２４とが傘具を固定するための角度または方向を変えることができるため、使用上の敏捷性を高めるという効果を有している。
【００４９】
他に、固定座２に固定補助部材２３が設けられる場合、固定補助部材２３は、当接端２３１によって傘の柄または傘骨に当接することにより、傘具は、さらに安定して固定座２に位置決めされるため、物品の位置決めの安定性を高めるという効果を有している。
【００５０】
また、補助支持枠３２に係止補助バンド３２３が設けられる場合、係止補助バンド３２３によって傘の柄または傘骨を固定することにより、傘具は、さらに安定して固定座２と支持枠ユニット３との上に位置決めされるため、物品の位置決めの安定性を高めるという効果を有している。
【００５１】
図７は、本発明の背負い具の折畳み状態の断面図で、図８は、本発明の背負い具の折畳み状態の斜視図である。
図７、８を参照すると、使用者が支持枠ユニット３を折り畳もうとする時、複数個のメイン支持枠３１は、基座１に相対して同じ方向に向かって折り畳むことができ、かつ、補助支持枠３２は、二個の第一枢接補助部３２１と折り曲げ部３２２との設置により、補助支持枠３２は、複数個のメイン支持枠３１と一緒に折り畳むことができ、さらに、比較的空間を占めない折り畳んだ形態に形成される。
それから、使用者は、背負いバンド４によって本発明の背負い具を背負うことができるため、積載装置の携帯上の利便性を高めるという効果を有している。
【００５２】
図９は、本発明の背負い具の使用状態の参考図で、図１０は、本発明の背負い具の使用状態の参考図である。
図９、１０を参照すると、仮に使用者が一個のトラベルバッグを本発明の背負い具に固定しようとする場合、使用者は、直接、トラベルバッグを固定座２に引っ掛けることができ、または、本発明の実施例のように、固定座２を基座１から外し、さらに、トラベルバッグを支持枠ユニット３の片側に放置し、それから固定バンドＲをもってそれぞれ隣接する二個のメイン支持枠３１の係止補助部３１３に係止することにより、トラベルバッグは、固定バンドＲによって支持枠ユニット３の片側に安定して位置決めされ、さらに、使用者は、背負いバンド４によって携帯しようとするトラベルバッグを背負うことができ、かつ、係止補助部３１３もフックＨによって同時にその他の物品を引っ掛けることにより、使用者は、背負いの方式で複数の種類の物品を携帯することができるため、携帯物の利便性を高めるという効果を有している。
【００５３】
図１１は、本発明の背負い具の使用状態の参考図である。
図１１を参照すると、仮に、使用者は、一個のハンドバッグを本発明の背負い具に固定しようとする場合、先ず、ハンドバッグを支持枠ユニット３の片側に放置し、それから、固定バンドＲをもってそれぞれ隣接する二個のメイン支持枠３１の係止補助部３１３に係止することにより、ハンドバッグは、垂直に設置される固定バンドＲに安定して当接することができ、使用者は、背負いバンド４によって携帯しようとするハンドバッグを背負うことができるため、携帯物の利便性を高めるという効果を有している。
【００５４】
総合すると、本発明の背負い具によれば、固定座２によって携帯しようとする物品を固定することができ、さらに、二個の背負いバンド４によって使用者に携帯しようとする物品を背負うことにより、使用者は、手で物品を所持することがないため、携帯上の利便性を高めるという効果を有している。
【００５５】
他に、本発明の背負い具によれば、固定座は、基座に相対して回動することにより、固定座は、特定の角度または方向で携帯しようとする物品を固定することができるため、使用上の敏捷性を高めるという効果を有している。
【００５６】
また、本発明の背負い具によれば、使用しない状態において、基座と支持枠ユニットとの間の枢接構造によって折り畳んだ形態に形成されるため、積載装置の携帯の利便性を高めるという効果を有している。
【００５７】
本発明は、その精神および必須の特徴事項から逸脱することなく、他のやり方で実施することができる。
従って、本明細書に記載した好ましい実施形態は、例示したものであり、限定を意図するものではない。
【符号の説明】
【００５８】
１    基座
１１    本体
１１１    第一枢接部
１１２    収容室
１２      係止ユニット
１２１    係止孔
２        固定座
２１      環状溝
２２      位置決め部
２２１    支持壁
２２２    位置決め空間
２２３    第一貫穿部
２２４    第二貫穿部
２３      固定補助部材
２３１    当接端
３        支持枠ユニット
３１      メイン支持枠
３１１    第二枢接部
３１２    連接部
３１３    係止補助部
３１４    第二枢接補助部
３２      補助支持枠
３２１    第一枢接補助部
３２２    折り曲げ部
３２３    係止補助バンド
４        背負いバンド
Ｇ１      第一位置決め隙間
Ｇ２      第二位置決め隙間
Ｈ        フック
Ｒ        固定バンド    
【図１】
2017000449.tif 000003
【図２】
2017000449.tif 000004
【図３】
2017000449.tif 000005
【図４】
2017000449.tif 000006
【図５】
2017000449.tif 000007
【図６】
2017000449.tif 000008
【図７】
2017000449.tif 000009
【図８】
2017000449.tif 000010
【図９】
2017000449.tif 000011
【図１０】
2017000449.tif 000012
【図１１】
2017000449.tif 000013